(57)【特許請求の範囲】
【請求項１】
少なくとも一部に直管部を有する複数の照明ランプを高周波点灯させ、被照射物に光を照射するインバータ照明器具において、
前記直管部に沿うよう複数の照明ランプの間に配設されるとともに、被照射物側に突出する接地された導電性材料よりなる金属線を備えることを特徴とするインバータ照明器具。
【発明の詳細な説明】
【０００１】
【発明の属する技術分野】
本発明は、インバータ回路により高周波点灯されるインバータ照明器具に関し、特に電界ノイズを低減するインバータ照明器具に関する。
【０００２】
【従来の技術】
従来、オフィスなどで用いられる照明器具として、蛍光灯などの照明ランプをインバータ回路により高周波点灯させるものがある。このインバータ照明器具を設置した部屋で、ワイヤレス拡声器など電波を利用した無線通信機器を使用した場合、照明ランプから発生する電界ノイズにより、無線通信機器に雑音障害が発生することがある。この電界ノイズの対策を施したインバータ照明器具としては、特開平９−１６１５３５号報に開示されたものがある。
【０００３】
このものは、導電金属材料により形成されて一面が開口された箱体と、箱体の内方に設けた照明ランプと、照明ランプと箱体底面との間に設けた反射板と、箱体の開口部に導電性のルーバーを配したルーバー枠とを備えている。このルーバーは、ハニカム形状に形成されているとともに、箱体の開口部全体を覆うように取り付けられているので、照明ランプから照射される照射光のうち、ルーバーで反射、吸収されずに、ハニカムの間を通過した光だけが、インバータ照明器具から実際に照射される照明光となるので、インバータ照明器具の照明光量は、照明ランプの照射光量よりも低くなる。また、電界ノイズを低減させるには、ハニカム状のルーバーとルーバー枠との電気的な接続を確実に取る必要があるが、その接点が複数あるため、その手間とコストが大きくなるという問題がある。
【０００４】
さらに、病院やクリーンルームなど、特に電界ノイズに対して細心の注意が必要となる場所では、より電界ノイズを低減したインバータ照明器具が望まれているが、電界ノイズを低減させるためにルーバーを装着すると、照明光量が小さくなるため、インバータ照明器具の設置数を増加させることが必要となってしまい、コストが増大する。しかし、設置数が増加すれば、それにつれて電界ノイズも増大してしまうことになり、根本的な解決ができていなかった。
【０００５】
【発明が解決しようとする課題】
そこで、本発明は上記問題点に鑑みてなされたもので、その目的とするところは、照度を下げることなく電界ノイズを低減させることのできるインバータ照明器具を提供することにある。
【０００６】
【課題を解決するための手段】
上記目的を達成するために本発明のインバータ照明器具は、以下の構成を備える。すなわち、請求項１の発明では、少なくとも一部に直管部を有する複数の照明ランプを高周波点灯させ、被照射物に光を照射するインバータ照明器具において、前記直管部に沿うよう複数の照明ランプの間に配設されるとともに、被照射物側に突出する接地された導電性材料よりなる金属線を備えることを特徴とする。
【００１０】
【発明の実施の形態】
以下、本発明の実施の形態を図示例と共に説明する。
【００１１】
（第１参考例）本発明に係わるインバータ照明器具の第１の参考例を、図１と図２を参照して以下に説明する。本参考例では、インバータ照明器具は、全体が中空の直円柱形状に形成された２つの照明ランプ２１，２１と、照明ランプ２１が取り付けられる導電性材料よりなる照明器具本体としての筐体１１と、筐体１１の一表面４１ａ上に支持されるように設けられて照明ランプ２１の筐体１１側への発光を被照射物側に反射する金属材料よりなる平板状の反射板４１と、照明ランプ２１，２１の間にその全長に沿って配設される鋼鉄等の導電性材料よりなる放射ノイズ低減部材としての金属板３１と、金属板３１を反射板４１に支持する支持部１３と、金属板３１と筐体１１とを電気的に接続するリード線５１と、筐体１１内部に設けられて、照明ランプ２１を高周波点灯制御するインバータ回路部（図示せず）とを備えてなり、筐体１１は接地されて基準電位となっている。
【００１２】
筐体１１は、その一表面上に１対のランプソケット１２，１２を２組備えており、そのランプソケット１２に照明ランプ２１の軸方向端部に設けられた接続端子部（図示せず）を挿入接続することで、インバータ回路部と電気的に接続されている。
【００１３】
金属板３１は、照明ランプ２１の全長と同じ長さの平板形状に形成されており、その長手方向の一端部が、筐体１１にリード線５１を介して電気的に接続されて、接地されている。また、図２に示すように、金属板３１は、その一側端面３１ａが反射板４１の一表面４１ａと離間距離Ｌ１１だけ離間するとともに、他側端面３１ｂが被照射物側、すなわち反射板４１から離間する方向に、照明ランプ２１より突出するよう支持部１３に支持されており、このとき離間距離Ｌ１１を２．５ｃｍ、幅Ｌ１２を５ｃｍ、長さを照明ランプ２１の長さに対応させて１１４ｃｍとしている。なお、図２は、図１のＡ−Ａ’断面を示している。
【００１４】
インバータ回路部は、１００Ｖ又は２００Ｖの商用電源から、約５０〜６０ｋＨｚの高周波交流電流に変換して出力する蛍光灯の点灯回路である。このインバータ回路部により高周波点灯された照明ランプ２１は、その周囲に電界を発生させる。
【００１５】
以下に、本参考例におけるインバータ照明器具の動作を説明する。インバータ照明器具のインバータ回路部に電源が供給されると、インバータ回路部は、５０ｋＨｚの高周波交流電流に供給された電源を変換して、ランプソケット１２に出力する。
【００１６】
ランプソケット１２に接続された照明ランプ２１は、印加された高周波交流電流（以下、印加電流）により、高周波点灯される。照明ランプ２１が高周波点灯されると、その照明ランプ２１の周囲には、印加電流の大きさに対応した電界が発生する。すなわち、２つの照明ランプ２１，２１は、平行した位置で同じ向きの電界を発生している。
【００１７】
また、このとき、照明ランプ２１，２１の間に配設された金属板３１と、照明ランプ２１下方の反射板４１とには、印加電流とは逆向きの電流が誘導されている（以下、誘導電流）。
【００１８】
印加電流と誘導電流の向きが逆であるため、印加電流による電界と、誘導電流による電界とが逆向きの電界となり、この２つの電界の中心が近傍に位置するので、互いに打ち消しあい、その結果インバータ照明器具から発生する電界ノイズが低減される。
【００１９】
このとき、インバータ照明器具から発生する電界ノイズの電界強度としては、印加電流と誘導電流との差分の電流値に対応した大きさとなっている。すなわち、印加電流に対し、誘導電流の電流値が近いほど電界ノイズは低減される。また電界ノイズの低減は、印加電流により発生する電界の中心と、誘導電流により発生する電界の中心とが近いほど、さらに電界ノイズは低減される。そこで、電界ノイズをより低減させるためには、金属板３１の材料や形状を変更したり、照明ランプ２１に対する金属板３１の配置位置を変更することなどが有効である。
【００２０】
金属板３１の材料を変更することとしては、例えば、金属板３１の材料を、鉄鋼からアルミニウムや銅に変更することで、さらに電界ノイズを低減することが可能となる。図３に示すように、金属板３１の材料として、鋼鉄（図３の○印）をアルミニウム（図３の□印）に、アルミニウムを銅（図３の△印）に変更することで、インバータ照明器具から発生する電界ノイズが確実に低減されており、鉄鋼に対し銅では、１０〜２０ｄＢ程度電界ノイズが低減されている。
【００２１】
また、照明ランプ２１に対する金属板３１の配置位置を変更した参考例として、図４と図５に示すものがあり、図４に示すものでは、金属板３３は、幅Ｌ２２＝１０ｃｍで、その一側端面３３ａと反射板４１の一表面４１ａとは離間距離Ｌ２１＝１ｍｍだけ離間するようにして、支持部１３に支持されている。
【００２２】
また、図５に示すものでは、金属板３４は、幅Ｌ３２が１５ｃｍで、その一側端面３４ａと反射板４１の一表面４１ａとが離間距離Ｌ３１＝１ｍｍだけ離間するようにして、支持部１３に支持されている。
【００２３】
図６は、図２と図４と図５で示された金属板を備えたインバータ照明器具が放射する電界ノイズをシミュレーションした電界の強度をそれぞれ示している（図６において、×印は金属板がない場合、□印は図２の金属板３１の場合、○印は図４の金属板３３の場合、＋印は図５の金属板３４の場合）。この図６にも示すように、照明ランプ２１の近傍に配置される金属板３１の面積が大きいほど、金属板３１に流れる電流が大きくなるので、インバータ照明器具から発生する電界ノイズをより低減させることができる。また、金属板３１を設けたことにより、設けていない場合に比較して３〜５ｄＢ程度、電界ノイズが低減されている。なお、本参考例においては、金属板３１を反射板４１と離間させて設けているが、離間させず、直接接続させて設けてもよい。金属板を反射板に離間させずに直接接続させるとともに、反射板及び筐体の形状を変更したものを図７に示している。
【００２４】
図７に示す参考例では、筐体１５を三角柱形状とし、反射板４２を筐体１５の２面を覆う矩形状とし、反射板４２の頂点部に、金属板３１を被照射物側に照明ランプより突出させて、反射板４２に直接接続させて設けている。この参考例では、反射板４２を接地させて基準電位としているとともに、金属板３１を支持させて、電気的にも接続させている。このように、反射板４２の頂点部に金属板３１を離間させずに設けるとともに、反射板４２の異なる２面に照明ランプ２１をそれぞれ配設することにより、２つの照明ランプ２１，２１が反射板４２に対し、同一平面状に位置しなくなり、反射板４２に沿った２つの照明ランプ２１，２１間の距離が大きくなるので、インバータ照明器具のサイズを小さくしつつ、発生する電界ノイズを低減させることが可能となる。
【００２５】
なお、本参考例においては、２つの照明ランプ２１，２１に印加される電流の印加方向を同じ方向としたが、これは照明ランプ２１，２１間で逆方向の電流が印加されるようにしてもよい。また、金属板３１を照明ランプ２１の全長と同じ長さに形成して、照明ランプ２１の全長に沿うように配設したが、金属板３１の長さは、照明ランプ２１より短くてもよく、配置する位置も、照明ランプ２１の直管部に沿った近傍であればよい。このようにすることで、放射ノイズ抑制部材を形成するために必要となるコストを削減することができるが、インバータ照明器具から放射される電界ノイズの低減効果が低下してしまうことがある。
【００２６】
このように、本参考例におけるインバータ照明器具では、印加電流により照明ランプ２１の周囲に発生する電界と、誘導電流により反射板４１及び金属板３１に発生する電界とが、逆向きの電界であるので、これらの電界同士が打ち消しあい、インバータ照明器具の周囲に発生する電界ノイズが低減される。
【００２７】
（第２参考例）本発明に係わるインバータ照明器具の第２の参考例について、図８を参照して以下に説明する。本参考例においては、インバータ照明器具は、２つの照明ランプ２１，２１と、導電材料よりなり接地された筐体１１と、筐体１１に電気的に接続されて銅よりなる放射ノイズ抑制部材としての半割筒状の筒体３５とを備えている。なお、第１の参考例と同じものには、同じ符号を付している。
【００２８】
筒体３５は、半割筒状で中空状の内径２×Ｒ１を有する円筒３６，３７を２つ接続したものとしており、筐体１７に電気的に接続されているとともに支持されている。円筒３６は、その周壁の一部が軸方向の全体に渡って開放されており、開放される際にできる切片のうち、切片３６ｂと異なる方の切片と、円筒３６と同様にしてできた円筒３７の切片３７ｂと異なる方の切片とを、加工して切片３５ｃが形成されている。このようにして形成された筒体３５は、２つの照明ランプ２１，２１の管中心軸と、それぞれ収納される円筒３６，３７の中心軸とが一致するように、２つの照明ランプ２１，２１を収納している。
【００２９】
このように放射ノイズ抑制部材を形成することで、照明ランプ２１の管外周面と、筒体３５の内周面との離間距離がＲ１で均一となり、照明ランプ２１に印加された印加電流により発生する電界と、筒体３５に誘導された誘導電流により発生する電界とが、照明ランプ２１の中心軸を中心として対称となり、インバータ照明器具から発生する電界ノイズを、より一層低減させることが可能となる。
【００３０】
また、筒体３５が照明ランプ２１を囲む面積を大きく、すなわち、円筒３６，３７のそれぞれの周壁の切片３６ｂ，３７ｂと切片３５ｃとが、被照射物側（筐体１１から離間する方向）に位置する程、筒体３５の内周面が照明ランプ２１に対向する面積が大きくなるので、筒体３５に誘導される電流も大きくなり、より電界ノイズの低減効果が高まる。この場合においても、２つの照明ランプ２１，２１は、その管中心軸が、それぞれ収納される円筒３６，３７の中心軸と一致するように設けられている。なお、本参考例においては、筒体３５を、反射板としても用いている。
【００３１】
（第１実施形態）本発明に係わるインバータ照明器具の第１の実施の形態について、図９を参照して以下に説明する。本実施の形態では、２つの照明ランプ２１と、導電材料よりなり接地されて基準電位となった筐体１１と、導電材料よりなる反射板４１と、アルミニウムよりなる反射ノイズ抑制部材としての金属線３９と、金属線３９と筐体１１とを電気的に接続するリード線５１とを備えている。なお、第１又は第２の参考例と同じものには、同じ符号を付している。
【００３２】
金属線３９は、２つの照明ランプ２１，２１の間で、直管部に沿って平行に、被照射物側、すなわち筐体１１から離間する方向に照明ランプ２１より突出させて、支持部１３に支持されている。
【００３３】
本実施形態におけるインバータ照明器具の動作を説明すると、照明ランプ２１に印加された印加電流により、照明ランプ２１の周囲には電界が発生する。また、このとき金属線３９及び反射板４１には、印加電流とは逆向きの誘導電流が発生し、その誘導電流により、金属線３９及び反射板４１の周囲には電界が発生している。
【００３４】
照明ランプ２１の周囲に発生した電界と、金属線３９及び反射板４１の周囲に発生した電界とは、逆向きの電界であるので、互いに打ち消しあう。その結果、インバータ照明器具から放射される電界ノイズが低減される。なお、金属線３９は、照明ランプ２１に対して近い位置に配置されるほど、金属線３９の周囲に発生する電界の中心と、照明ランプ２１の周囲に発生する電界の中心とが近づくので、２つの電界同士の相殺効果が高まり、インバータ照明器具から放射される電界ノイズをより一層低減することが可能となる。
【００３５】
このように、金属線３９に発生する電界により、照明ランプ２１に発生する電界を相殺させることができるので、インバータ照明器具から放射される電界ノイズを低減させることができるとともに、放射ノイズ抑制部材を金属線３９としているので、コストをより低減させることが可能となる。
【００３６】
【発明の効果】
上記のように本発明の請求項１に記載のインバータ照明器具は、少なくとも一部に直管部を有する複数の照明ランプを高周波点灯させ、被照射物に光を照射するインバータ照明器具において、導電性材料よりなり接地されるとともに、前記直管部に沿うよう複数の照明ランプの間に配設されて、被照射物側に突出する金属線を備えるので、照明ランプに流れる電流に応じて、金属線に電流が誘導されるため、インバータ照明器具から発生する電界ノイズを低減することができるとともに、照明ランプの照射面を覆うことがないため、その照度を低下させにくいという効果を奏する。
【図面の簡単な説明】
【図１】本発明のインバータ照明器具に係わる第１の参考例を示す図である
【図２】上記インバータ照明器具の断面を示す図である
【図３】上記インバータ照明器具の放射する電界ノイズの強度を示す図である
【図４】上記インバータ照明器具における異なる参考例を示す図である
【図５】上記インバータ照明器具における別の参考例を示す図である
【図６】上記インバータ照明器具の放射する電界ノイズの強度を示す図である
【図７】上記インバータ照明器具におけるさらに異なる参考例を示す図である
【図８】本発明のインバータ照明器具に係わる第２の参考例を示す図である
【図９】本発明のインバータ照明器具に係わる第１の実施の形態を示す図である
【符号の説明】
１１      筐体
１５      筐体
２１      照明ランプ
３１      金属板
３３      金属板
３４      金属板
３５      筒体
３５ｂ    切片
３９      金属線
４１      反射板
【図１】
0004085654.tif 000002
【図２】
0004085654.tif 000003
【図３】
0004085654.tif 000004
【図４】
0004085654.tif 000005
【図５】
0004085654.tif 000006
【図６】
0004085654.tif 000007
【図７】
0004085654.tif 000008
【図８】
0004085654.tif 000009
【図９】
0004085654.tif 000010